(57)【要約】【課題】  低コストの補強床構造を提供する。【解決手段】  架構体２の梁３にて囲繞された梁内空間４に床パネル１を複数並べて配置する。対向する梁３に床パネル１の外周枠５を固定して該対向する梁３間に床パネル１を架設する。任意の一の床パネル１における他の床パネル１と隣接する側の外周枠５の下面に沿わせて補強梁７を配置する。補強梁７を対向する梁３にその両端を固定して該対向する梁３間に架設する。上下に重なる上記一の床パネル１の外周枠５と補強梁７とを固定する。【選択図】        図１
2008115623.tif 000002
【特許請求の範囲】
【請求項１】
架構体の梁にて囲繞された梁内空間に床パネルを複数並べて配置すると共に、対向する梁に床パネルの外周枠を固定して該対向する梁間に床パネルを架設し、任意の一の床パネルにおける他の床パネルと隣接する側の外周枠の下面に沿わせて補強梁を配置すると共に、この補強梁を対向する梁にその両端を固定して該対向する梁間に架設し、上下に重なる上記一の床パネルの外周枠と補強梁とを固定して成ることを特徴とする補強床構造。
【請求項２】
上記他の床パネルを段差を介して上記一の床パネルより下方位置に配置してこの他の床パネルの外周枠を補強梁の側面に沿わせて隣接させ、この隣接状態にある他の床パネルの外周枠と補強梁とを固定したことを特徴とする請求項１記載の補強床構造。
【請求項３】
上記他の床パネルを補強梁の長さ方向への長さ寸法を異ならせた複数の小パネルで構成すると共に、小パネルの外周枠と架構体の梁とを固定し、任意の小パネルを上記一の床パネルより下方位置に配置してその外周枠を補強梁の側面に沿わせて隣接させ、この隣接状態にある小パネルの外周枠と補強梁とを固定したことを特徴とする請求項２記載の補強床構造。
【発明の詳細な説明】
【技術分野】
【０００１】
本発明は、補強床構造に関するものである。
【背景技術】
【０００２】
従来から、工場でモジュール寸法（規格寸法）に従って生産した床パネル１を、モジュール寸法（規格寸法）に従って形成した架構体２に対して汎用性を生かして取り付けることで建物の床を低コストで形成させることが知られている。図４（ａ）の場合、複数個の床パネル１を架構体２の梁３にて囲繞された梁内空間４に並べて配置すると共に、対向する梁３に床パネル１の外周枠５を固定して該対向する梁３間に床パネル１を架設してあることで、建物の床が形成されている。
【０００３】
この建物の床にあって、床パネル１のパネル隣接側（他の床パネル１と隣接する側）は梁３に固定されない箇所であって梁３に固定された側の箇所に比べて強度が低くなっている。したがって、上記構成の床に、浴水を貯める浴槽を備える浴室ユニットやピアノや家具などの重量物を床の上に載置しようとした場合、床に耐荷重性能が追加的に必要となる場合がある。
【０００４】
このような場合、図４（ｂ）のように、対向する梁３に両端を固定した補強梁７を該梁３間に架け渡し、この補強梁７の側面に対して床パネル１のパネル隣接側を隣接配置し、この隣接状態にある補強梁７と床パネル１のパネル隣接側とを固定させるようにして、必要な耐荷重性能を備えた補強床構造を形成させることが行われている。
【０００５】
しかしながら、上記補強床構造では、床パネル１と補強梁７とが同高さ位置に位置し、つまり補強梁７が梁内空間４を占める分だけ梁内空間４における床パネル設置可能面積（平面面積）は減少することとなる。したがって、上記補強床構造では、通常の床で使用していた床パネル１をそのまま使用することはできなく、施工現場毎に規格寸法外の床パネル１を新たに製造して使用しているのが現状であって、コスト高を招いてしまっていた。
【特許文献１】特開平１０−１９６０２５号公報
【発明の開示】
【発明が解決しようとする課題】
【０００６】
本発明は上記の点に鑑みてなされたものであり、その目的とするところは、低コストの補強床構造を提供することを課題とするものである。
【課題を解決するための手段】
【０００７】
上記課題を解決するために請求項１に係る補強床構造にあっては、架構体２の梁３にて囲繞された梁内空間４に床パネル１を複数並べて配置すると共に、対向する梁３に床パネル１の外周枠５を固定して該対向する梁３間に床パネル１を架設し、任意の一の床パネル１における他の床パネル１と隣接する側の外周枠５の下面に沿わせて補強梁７を配置すると共に、この補強梁７を対向する梁３にその両端を固定して該対向する梁３間に架設し、上下に重なる上記一の床パネル１の外周枠５と補強梁７とを固定して成ることを特徴とする。
【０００８】
これによると、対向する梁３間に架設した補強梁７に対して一の床パネル１の該対向する梁３の間の外周枠５を固定したことで、この一の床パネル１によって床の耐荷重性能を高めることができるのであり、また、上記一の床パネル１を固定させる補強梁７は一の床パネル１の下方位置に配置されるから、補強梁７によって梁内空間４の床パネル設置可能面積（平面面積）が狭められることはなく、つまり、補強床構造で使用する床パネル１としては通常の床で使用するモジュール寸法に従って製造された床パネル１をそのまま使用できるのであり、補強床構造を低コストで形成することができる。
【０００９】
また、請求項２に係る補強床構造にあっては、請求項１において、上記他の床パネル１を段差８を介して上記一の床パネル１より下方位置に配置してこの他の床パネル１の外周枠５を補強梁７の側面に沿わせて隣接させ、この隣接状態にある他の床パネル１の外周枠５と補強梁７とを固定したことを特徴とする。
【００１０】
これによると、段差８を介して上記一の床パネル１より下方位置に配置された他の床パネル１を、一の床パネル１における他の床パネル１側の端部に沿うと共にその下方位置に配置された補強梁７に対して、その位置関係を利用して容易に取り付けることができる。つまり、一の床パネル１と隣接する他の床パネル１との間に段差８を有した形態の床における補強床構造を簡単な構造で得ることができる。
【００１１】
また、請求項３に係る補強床構造にあっては、請求項２において、上記他の床パネル１を補強梁７の長さ方向への長さ寸法を異ならせた複数の小パネル１０で構成すると共に、小パネル１０の外周枠５と架構体２の梁３とを固定し、任意の小パネル１０を上記一の床パネル１より下方位置に配置してその外周枠５を補強梁７の側面に沿わせて隣接させ、この隣接状態にある小パネル１０の外周枠５と補強梁７とを固定したことを特徴とする。
【００１２】
これによると、他の床パネル１を構成する複数の小パネル１０は、梁内空間４に収める複数の床パネル１の並設方向ａにおける幅寸法は同じであって、つまりモジュール寸法に従って形成したものであり、この他の床パネル１を構成する任意の小パネル１０を段差８を介して上記一の床パネル１より下方位置に配置させた場合には、一の床パネル１における他の床パネル１側の端部に沿うと共にその下方位置に配置された補強梁７に対して、その位置関係を利用して、容易に取り付けることができる。つまり、一の床パネル１と隣接する他の床パネル１との間の部分的箇所に段差８を有した形態の床における補強床構造を簡単な構造で得ることができる。
【発明の効果】
【００１３】
本発明にあっては、低コストの補強床構造を得ることができる、という利点を有する。
【発明を実施するための最良の形態】
【００１４】
以下、本発明を添付図面に示す実施形態に基いて説明する。
【００１５】
柱や梁３を組み上げて形成した架構体２に対して床パネル１や壁パネル１１等の各種パネルを取り付けるといったパネル工法で建設された本例の住宅用建物は、コストの低廉化を図ってモジュール寸法（規格寸法）に従って設計、形成されている。つまり、架構体２の柱や梁３の位置、各種パネルの寸法はモジュール寸法に従っており、個々の建物の架構体２に各種パネルを汎用性を生かして取り付けることで、建物の低コスト化が図られている。通常、この建物における床は、架構体２において同高さ位置に矩形枠状に配置した梁３に囲まれる梁内空間４に、複数の床パネル１を並べて配置すると共に隣接する梁３に床パネル１を固定することで、形成される。ここで、使用される床パネル１は、矩形枠状に配置した金属製の外周枠５に床下地材となる木製の構造用面板６を張設して形成されたものであって、平面視で長方形状に形成されている。上記複数の床パネル１はその長辺同士を隣接させるようにして並べて上記梁内空間４に配置されるのであるが、床パネル１と梁内空間４とはモジュール寸法に従って形成されている（具体的に、床パネル１の並設方向（矢印ａ）で対向する梁間寸法Ｈ１は床パネル１の短辺寸法の整数倍（本例では２倍）と略同寸法に形成されると共に、床パネル１の並設方向と直交する方向（矢印ｂ）で対向する梁間寸法Ｈ２は床パネル１の長辺寸法と略同寸法に形成されている）から、上記複数の床パネル１は梁内空間４に平面視で半端な空間を残さないように配置可能になっている。
【００１６】
ここで、図３（ａ）は建物の２階の床の一部分の平面図であり、図２は同箇所の分解斜視図である。この箇所の床には重量物を載置可能なように耐荷重性能を向上させた補強床構造が採用されている。従来技術の項でも述べたが通常の床では、梁内空間４に配置した床パネル１における梁３に隣接する箇所はその部位の外周枠５が梁３に固定できて高強度を確保できるものの、床パネル１の梁３に隣接しない箇所（すなわちパネル隣接側）では外周枠５が梁３に固定できずに高強度を確保できないから、重量物を載置可能するには、補強梁７を用いてこの床パネル１のパネル隣接側を梁３に固定させたのと同じ状態にすることで、高強度（耐荷重性能を向上させた）の補強床構造を形成させるのである。ここで、本例の補強床構造は、上記通常の床と同様に、モジュール寸法に従って製造された床パネル１を使用して低コストで形成可能にしたことに特徴を有しており、以下に詳述する。
【００１７】
本例の補強床構造における梁内空間４にはモジュール寸法に従って製造された２個の床パネル１が並設可能であり、つまり一方の床パネル１ａが梁内空間４の右半部に、他方の床パネル１ｂは梁内空間４の左半部にそれぞれ隣接して配置可能である。これら床パネル１の梁３に隣接する側の外周枠５は梁３に固定されて高強度を確保している。なお、本例では各床パネル１と梁３との固定はフランジ付き金具１２（図２では一部のみ示す）を介して行われており、フランジ付き金具１２のフランジ片１２ａ上に各床パネル１の外周枠５を載置させた状態で固定させることで高い取付強度が確保されている。
【００１８】
ここで、図３（ａ）のように、一方の床パネル１ａにおけるパネル隣接側（他方の床パネル１ｂと隣接する側）の外周枠５の下面に沿わせて補強梁７が配置され、この補強梁７は床パネル１の並設方向と直交する方向ｂで対向する梁３にその両端を固定して該対向する梁３間に架設されている。詳しくは、この補強梁７は、平面視で一方の床パネル１ａから他方の床パネル１ｂ側に突出しないように配置されており、梁３への固定は一方の床パネルの梁３への固定を同時に行わせる兼用固定金具１３を介して行われている（図３（ｃ））。そして、図１のように、この一方の床パネル１ａは補強梁７の上方に重なる外周枠５が複数個所でボルト・ナットの締結具１５によって補強梁７に固定されている。これにより、この一方の床パネル１ａにあっては、通常の床では梁３に固定されなかったパネル隣接側が補強梁７を介して架構体２の梁３に固定されたのと同じ状態となっており、一方の床パネル１ａ、ひいては床の耐荷重性能が向上されている。なお、床鳴りを防止するべく一方の床パネル１ａと補強梁７との一体性を高めるため、本例では上下に重なる一方の床パネル１ａの外周枠５の側面と補強梁７の側面とを、補強梁７の長さ方向の適所で板状連結金具１４を用いて連結させている。
【００１９】
また、本例の他方の床パネル１ｂは補強梁７の長さ方向への長さ寸法を異ならせた複数の小パネル１０で構成している。具体的に、本例の小パネル１０は上記床パネル１の長辺寸法の半分の長さ寸法を有しており、梁内空間４の左半部には２個の小パネル１０を床パネル１の並設方向と直交する方向ｂに並べて配置可能にされている。つまり、この他方の床パネル１ｂを構成する複数の小パネル１０は床パネル１の並設方向ａにおける幅寸法が上記床パネル１と同じであって、つまりモジュール寸法に従って形成されたものである。本例では、これら小パネル１０のうち一方の小パネル１０ａは上記一方の床パネル１ａと同高さ位置に配置され、他方の小パネル１０ｂは上記一方の床パネル１ａ及び一方の小パネル１０ａとの間にそれぞれ段差８を形成するよう、一方の床パネル１ａや一方の小パネル１０ａよりも下方位置に配置されている。
【００２０】
具体的に、一方の小パネル１０ａは一方の床パネル１ａの側方位置に隣接して配置されており、図１（ｂ）のように、この隣接状態にある一方の小パネル１０ａの外周枠５と一方の床パネル１ａの外周枠５とが複数個所でボルト・ナットの締結具１５によって固定されている。これにより、一方の小パネル１０ａのパネル隣接側（一方の床パネル１ａと隣接する側）は、一方の床パネル１ａの外周枠５及び補強梁７を介して、架構体２の梁３に固定されたのと同じ状態となっており、一方の小パネル１０ａ、ひいては床の耐荷重性能が向上されている。また、他方の小パネル１０ｂは補強梁７の側方位置に配置されており、図１（ａ）のように、この隣接状態にある他方の小パネル１０ｂの外周枠５と補強梁７とがボルト・ナットの締結具１５によって固定されている。これにより、他方の小パネル１０ｂのパネル隣接側（一方の床パネル１ａと隣接する側）は補強梁７を介して架構体２の梁３に固定されたのと同じ状態となっており、他方の小パネル１０ｂ、ひいては床の耐荷重性能が向上されている。なお、一方の小パネル１０ａと他方の小パネル１０ｂとは図３（ｂ）のように段付き板状連結金具１６を介して連結されている。
【００２１】
上述のように本例の補強床構造にあっては、床パネル１のパネル隣接側を固定させる補強梁７が一方の床パネル１ａの下方位置に配置されるから、補強梁７によって梁内空間４の床パネル設置可能面積（平面面積）が狭められることはなく、つまり、補強床構造で使用する床パネル１としては通常の床で使用するモジュール寸法に従って製造された床パネル１をそのまま使用できるので、補強床構造を低コストで形成することができたものである。なお、本例の補強床構造は、新築施工時にも既存の床を改築するリフォーム時にも適用することができるのであって、それぞれ建築コストを低減することができるのは言うまでもない。
【００２２】
また、上述のように本例の補強床構造は、床面レベルよりも下位置に底を有する浴槽を備えた重量物である浴室ユニットを載置するのに好適なように、一方の床パネル１ａと他方の床パネル１ｂとの間に段差８を有する床の形態となっているが、通常の床面を形成する一方の床パネル１ａよりも下方位置に配置された他方の床パネル１ｂ（他方の小パネル１０ｂ）は、同様に一方の床パネル１ａよりも下方位置に配置された補強梁７の側方に隣接して位置させることができ、つまり補強梁７に対してその位置関係を利用して容易に取り付けることが可能にされている。したがって、本例の補強床構造は、一の床パネル１と隣接する他の床パネル１との間（本例ではその部分的箇所）に段差８を有した形態の床に補強を施す場合でも、簡単な構造で得ることができる利点を有している。
【図面の簡単な説明】
【００２３】
【図１】本発明の実施の形態の例の補強床構造であり、（ａ）は要部の側断面図（図３（ａ）のＡ−Ａ線断面図）であり、（ｂ）は他の要部の側断面図（図３（ａ）のＤ−Ｄ線断面図）である。
【図２】同上の補強床構造の分解斜視図である。
【図３】（ａ）は同上の補強床構造の平面図であり、（ｂ）は（ａ）のＢ−Ｂ線断面図であり、（ｃ）は（ａ）のＣ−Ｃ線断面図である。
【図４】（ａ）は通常の床の平面図であり、（ｂ）は従来技術の例の補強床構造の平面図である。
【符号の説明】
【００２４】
１  床パネル
１ａ  一方の床パネル
１ｂ  他方の床パネル
２  架構体
３  梁
４  梁内空間
５  外周枠
７  補強梁
８  段差
１０  小パネル
１０ａ  一方の小パネル
１０ｂ  他方の小パネル
【図１】
2008115623.tif 000003
【図２】
2008115623.tif 000004
【図３】
2008115623.tif 000005
【図４】
2008115623.tif 000006